(57)【要約】【課題】キャピラリーカラムをスムーズにイオン源チャンバー内に導入することができ、かつ、キャピラリーカラムの破断等の致命的な損傷を招くことのない構造を持ったＧＣ／ＭＳ装置を提供する。【解決手段】ＧＣ装置から引き出されたキャピラリーカラムを、ＧＣ装置の後段に設けられた排気用チャンバーを貫くキャピラリーカラム折損防止用の案内管を介して、ＭＳ装置のイオン源チャンバー内まで連通させたＧＣ／ＭＳ装置において、前記排気用チャンバー内に位置する案内管の上方に、案内管の内部を排気用チャンバーを介して真空引きするための刳り穴を設けた。【選択図】　図４
2004109058.tif 000002
【特許請求の範囲】
【請求項１】
ガスクロマトグラフ装置から引き出されたキャピラリーカラムを、ガスクロマトグラフ装置の後段に設けられた排気用チャンバーを貫くキャピラリーカラム折損防止用の案内管を介して、質量分析装置のイオン源チャンバー内まで連通させたガスクロマトグラフ質量分析装置において、
前記排気用チャンバー内に位置する案内管の上方に、案内管の内部を排気用チャンバーを介して真空引きするための刳り穴を設けたことを特徴とするガスクロマトグラフ質量分析装置。
【請求項２】
前記刳り穴は、前記案内管の壁に、案内管の軸方向と直交する方向に開けられた丸穴であることを特徴とする請求項１記載のガスクロマトグラフ質量分析装置。
【請求項３】
前記刳り穴は、前記案内管の壁を、案内管の軸方向と交差する方向に切り取った角穴であることを特徴とする請求項１記載のガスクロマトグラフ質量分析装置。
【請求項４】
前記刳り穴は、前記案内管の壁を、案内管の軸方向と平行な方向に掘り下げた縦溝状の穴であることを特徴とする請求項２記載のガスクロマトグラフ質量分析装置。
【発明の詳細な説明】
【０００１】
【発明の属する技術分野】
本発明は、ガスクロマトグラフ装置（ＧＣ）と質量分析装置（ＭＳ）との間をキャピラリーカラムで容易に連通させることのできるガスクロマトグラフ質量分析装置（ＧＣ／ＭＳ）に関する。
【０００２】
【従来の技術】
現在、ＧＣ装置とＭＳ装置を結合したＧＣ／ＭＳ装置が広く使われている。その一例として、図１について説明する。
【０００３】
図１は、ＧＣ／ＭＳ装置の構成を模式的に表わしたものである。ＧＣ装置１には、加熱用オーブンが設けられていて、キャピラリーカラム２の温度を、任意の速度で昇温させることができるようになっている。ＧＣ装置１に導入された混合物試料は、加熱用オーブンの中に設置されたキャピラリーカラム２を通って個々の成分に分離された後、インターフェイス３を経由して、ＭＳ装置４のイオン源チャンバー５に導かれ、そこでイオン化された後、質量分析に供される。
【０００４】
図２は、従来のインターフェイス３の拡大断面図である（特許文献１）。図から明らかなように、従来のＧＣ／ＭＳ装置のインターフェイス部は、ＭＳ装置のイオン源チャンバー５にＧＣ装置のキャピラリーカラム２を導入するのに、第１の排気用チャンバー６、第１の案内管７、第２の排気用チャンバー８、第２の案内管９を介している。
【０００５】
ＭＳ装置のイオン源チャンバー５は、常に真空状態に保たれている。そこで、イオン源チャンバー５の真空を維持し、２つの案内管７、９の内部を排気できるようにするために、案内管７と案内管９の開口部は、排気用チャンバー８の内部で隙間を隔てて対向配置されている。また、ＧＣ装置のキャピラリーカラム２を交換する場合、２つの排気用チャンバー６、８で案内管７と案内管９の内側を排気することにより、キャピラリーカラム２を引き抜いた後のカラム挿入穴１０から流入する大気を排除し、イオン源チャンバー５の真空状態を維持している。
【０００６】
【特許文献１】
米国特許第４，６６２，９１４号明細書（第１図）
【０００７】
【発明が解決しようとする課題】
ところで、従来のＧＣ／ＭＳ装置のインターフェイスでは、案内管を２つに分け、分かれた部分から排気することにより、イオン源チャンバー５の真空状態を維持する構造を取っていた。この構造の問題点は、図３に示すように、キャピラリーカラム２を案内管７、９に挿入する際に、キャピラリーカラム２の先端がカラムの自重で下向きに垂れ下がり、案内管９の継ぎ目の断面に引っかかって、スムーズな導入ができず、場合によっては、キャピラリーカラム２の破断等の致命的な損傷を招くことであった。
【０００８】
本発明の目的は、上述した点に鑑み、キャピラリーカラム２をスムーズにイオン源チャンバー５内に導入することができ、かつ、キャピラリーカラム２の破断等の致命的な損傷を招くことのない構造を持ったＧＣ／ＭＳ装置を提供することにある。
【０００９】
【課題を解決するための手段】
この目的を達成するため、本発明にかかるＧＣ／ＭＳ装置は、
ＧＣ装置から引き出されたキャピラリーカラムを、ＧＣ装置の後段に設けられた排気用チャンバーを貫くキャピラリーカラム折損防止用の案内管を介して、ＭＳ装置のイオン源チャンバー内まで連通させたＧＣ／ＭＳ装置において、
前記排気用チャンバー内に位置する案内管の上方に、案内管の内部を排気用チャンバーを介して真空引きするための刳り穴を設けたことを特徴としている。
【００１０】
また、前記刳り穴は、前記案内管の壁に、案内管の軸方向と直交する方向に開けられた丸穴であることを特徴としている。
【００１１】
また、前記刳り穴は、前記案内管の壁を、案内管の軸方向と交差する方向に切り取った角穴であることを特徴としている。
【００１２】
また、前記刳り穴は、前記案内管の壁を、案内管の軸方向と平行な方向に掘り下げた縦溝状の穴であることを特徴としている。
【００１３】
【発明の実施の形態】
以下、図面を参照して、本発明の実施の形態を説明する。図４（ａ）は、本発明にかかるＧＣ／ＭＳ装置のインターフェイス部の断面図、図４（ｂ）は、その部分拡大図である。
【００１４】
ＭＳ装置のイオン源チャンバー５にＧＣ装置のキャピラリーカラム２を導入するため、案内管１１が設けられ、第１の排気用チャンバー６、第２の排気用チャンバー８を連通して、イオン源チャンバー５まで挿入されている。図から明らかなように、案内管１１の挿入口は、第１の排気用チャンバー６の内部に開口しており、そこからキャピラリーカラム２が挿入されると共に、案内管１１内部の排気・真空引きが行なわれる。また、第２の排気用チャンバー８の内側に位置する案内管１１の上部側には、案内管１１の内部を排気・真空引きするための刳り穴１２が開口しており、キャピラリーカラム２の交換時には、そこから案内管１１内部の排気・真空引きが行なわれる。
【００１５】
この刳り穴１２が、案内管１１の下方側ではなく、上部側に開けられている理由は、キャピラリーカラム２を挿入する際に、キャピラリーカラム２が自重により下方に垂れ下がり、カラムの先端部が刳り穴１２に引っかかって、キャピラリーカラム２のスムーズな導入ができなくなる状況を避け、場合によっては、キャピラリーカラム２の破断等の致命的な損傷を招くことをも回避するためである。刳り穴１２を案内管１１の上方部に設けておけば、仮に、キャピラリーカラム挿入時、自重で垂れ下がったキャピラリーカラム２の先端部が刳り穴１２の近傍を通過しても、カラム２が刳り穴１２のふちに引っかかったり破損したりすることがない。
【００１６】
以上の内容を図５に基づいて説明する。図５（ａ）に示すように、案内管１１に挿入されたＧＣ装置のキャピラリーカラム２は、自重により垂れ下がり、先端部を案内管１１の底部に接触させながら進む。ところが、排気用の刳り穴１２は、案内管１１の底部側ではなく、上方側に設けられているので、キャピラリーカラム２の先端部は、刳り穴１２のふちに引っかかることなく、そのまま進み、図５（ｂ）に示すように、ＭＳ装置のイオン源チャンバー５内までスムーズに到達することができる。
【００１７】
尚、図４および図５の例では、刳り穴１２は、案内管１１の壁に、案内管１１の軸方向と直交する方向にドリル等で開けられた丸穴を想定しているが、本発明の適用範囲としての刳り穴１２は、そればかりではない。図６（ａ）に示すような、案内管１１の壁を、案内管１１の軸方向と交差する方向にやすり等で切り取った角穴や、図６（ｂ）に示すような、案内管１１の軸方向と平行な方向にグラインダー等で掘り下げた縦溝状の穴などの変形例も含むことは言うまでもない。
【００１８】
【発明の効果】
以上述べたごとく、本発明のＧＣ／ＭＳ装置によれば、ＧＣ装置から引き出されたキャピラリーカラムを、ＧＣ装置の後段に設けられた排気用チャンバーを貫くキャピラリーカラム折損防止用の案内管を介して、ＭＳ装置のイオン源チャンバー内まで連通させたＧＣ／ＭＳ装置において、前記排気用チャンバー内に位置する案内管の上方に、案内管の内部を排気用チャンバーを介して真空引きするための刳り穴を設けたので、キャピラリーカラムをスムーズにイオン源チャンバー内に導入することができ、かつ、キャピラリーカラムの破断等の致命的な損傷を招くことのない構造を持ったＧＣ／ＭＳ装置を提供することが可能になった。
【図面の簡単な説明】
【図１】従来のＧＣ／ＭＳ装置を示す図である。
【図２】従来のＧＣ／ＭＳ装置のインターフェイスを示す図である。
【図３】従来のＧＣ／ＭＳ装置のインターフェイスの問題点を示す図である。
【図４】本発明にかかるＧＣ／ＭＳ装置のインターフェイスの一実施例を示す図である。
【図５】本発明にかかるＧＣ／ＭＳ装置のインターフェイスの一実施例を示す図である。
【図６】本発明にかかるＧＣ／ＭＳ装置のインターフェイスの変形例を示す図である。
【符号の説明】
１・・・ＧＣ装置、２・・・キャピラリーカラム、３・・・インターフェイス、４・・・ＭＳ装置、５・・・イオン源チャンバー、６・・・第１の排気用チャンバー、７・・・第１の案内管、８・・・第２の排気用チャンバー、９・・・第２の案内管、１０・・・カラム挿入口、１１・・・案内管、１２・・・刳り穴。
【図１】
2004109058.tif 000003
【図２】
2004109058.tif 000004
【図３】
2004109058.tif 000005
【図４】
2004109058.tif 000006
【図５】
2004109058.tif 000007
【図６】
2004109058.tif 000008